(57)【要約】【課題】  握り易く、重量の調整幅が大きく、かつ衛生上の問題が生じないダンベルを低コストで提供し、ダンベル体操の普及と発展に寄与すること。【解決手段】  筒状に縫製した布製の袋に、粒状材料４を充填してダンベル１とする。粒状材料４として、目開きが３．５５ｍｍの篩を通過する粒度で、密度が３以下の無機物を用い、布として、テーブルクロスに用いられる、少なくとも一方の面に高分子材料のフィルムによるラミネート加工を施したものを用いる。これによって、握り易く、高齢者でも使用可能なように重量が調整可能で、かつ、発汗による汚れが付着し難いダンベルが得られる。【選択図】図１
2010046461.tif 000002
【特許請求の範囲】
【請求項１】
筒状に縫製した布製の袋に粒状材料を充填してなるダンベル。
【請求項２】
前記粒状材料の少なくとも一部は、密度が３ｇ／ｃｍ３以下で、目開きが３．３５ｍｍの篩を通過する粒度を有する無機物であることを特徴とする、請求項１に記載のダンベル。
【請求項３】
前記布は、少なくとも一方の面に、高分子材料のフィルムによるラミネート加工が施されてなることを特徴とする、請求項１または請求項２に記載のダンベル。
【発明の詳細な説明】
【技術分野】
【０００１】  本発明は、ダンベル体操と称される、両手にダンベルを持った状態での全身運動に用いられる、ダンベルに関するものである。
【背景技術】
【０００２】  我が国においては、近年健康志向が昂揚し、フィットネスクラブなどの運動施設が増加している。その理由には、若年層にあっては食生活が高カロリー化する傾向があり、肥満やそれに起因するメタボリックシンドロームなどへの対策に関心が高まっていることがある。【０００３】  また、他の理由として、高齢化社会の到来に伴い、中高年齢層にあっては、医療費の増加を抑制するために、加齢による生活習慣病などを予防し、できるだけ健康で老後を過ごすことが、個人的にも社会的にも重視されていることが挙げられる。【０００４】  このような背景から、前記の運動施設を利用すること以外に、誰でも何処でも気軽に実行できる健康法が、考案、実行されている。ダンベル体操は、その一つとして認知され、普及しつつある健康法であり、ダンベルを補助具として用いるが、一般的なウエイトトレーニングとは異なり、全身の筋肉に適度な刺激を与え、筋力増強を図ることで、基礎代謝を高め、肥満や骨粗鬆症の予防への効果が期待できる。その具体的な運動の内容は、ダンベルを両手に把持した状態で、肩の高さからの両手の同時または交互の上げ下げ、腕を垂らした状態からの引き上げ、肩の高さでの両腕の開閉、両脚の屈伸などである。【０００５】  そして、ダンベル体操の利点として、屋内外を問わず、基本的に両手を左右に拡げた長さを直径とした円のスペースと、補助具のダンベルがあれば、時間、季節に関係なく実施できることがある。また、運動のスピードやダンベルの重量を調整することにより、性別に関係なく、幼児から高齢者、さらには身体が虚弱な人や運動機能に障害を持つ人でも実施できる。【０００６】  運動の負荷調整には、前記のようにダンベルの重量調整が必要となるが、把持に適したシャフト径を確保するために、つまり、シャフト径を過度に小さくできないために、汎用の鉄製のダンベルでは、重量を一定以下にするのが困難で、数ｋｇとなってしまう。また、鉄製のダンベルでは、その重量のため、振り回したり上下させたりする際に、誤って落下させることがあり、安全性の面で課題がある。【０００７】  このような課題に対処するために、特許文献１には、布製の袋に鋼球を充填した体育用遊具が開示されている。また、特許文献２には、前記体育用遊具を使用中に落下させた際の危険防止のため、布製の袋の内側に緩衝層を設けた健康促進具が開示されている。【０００８】  これらの用具は、把持した際に、袋に充填された鋼球が動くので、握り易い形状に変形するという利点があるが、鋼球を用いているために、重量の調整可能範囲が限定されるという欠点がある。これに対処するために、布製の袋に玄米を充填した『玄米ニギニギダンベル』と称されるダンベルが考案され、前記の場合と同様に、一定の範囲内で変形し得ることに起因する握り易さとともに、日本の食文化に根ざしたダンベルであるとして、多用されている。【０００９】  しかしながら、前記の布製の袋に玄米を充填したダンベルは、握り易さから見ると、前記の理由で掌へのフィット感が極めて優れているが、逆に重量を一定以上に増加できない他に、運動に伴う掌の発汗により、内容物の玄米が吸湿して変質したり、袋の汚損による衛生上の問題が顕在化したりするという問��がある。これは、かつて日本一の長寿県であった沖縄県のような高温多湿地域においても、ダンベル体操が普及しつつあるため、無視できない状況となっている。【００１０】
【特許文献１】  実用登録３０３０７７３号公報
【特許文献２】  特開２００５−３０５０７３号公報
【発明の開示】
【発明が解決しようとする課題】
【００１１】  従って、本発明の課題は、握り易く、重量の調整幅が大きく、かつ衛生上の問題が生じないダンベルを低コストで提供し、ダンベル体操の一層の普及と発展に寄与することにある。
【課題を解決するための手段】
【００１２】  本発明は、前記の課題解決のため、従来のダンベルと同様に使用可能な、粒状の材料を充填した布製の袋に使用する、粒状の材料と布の材質を検討した結果なされたものである。【００１３】  即ち、本発明は、筒状に縫製した布製の袋に粒状材料を充填してなるダンベルである。【００１４】  また、本発明は、前記粒状材料の少なくとも一部は、密度が３ｇ／ｃｍ３以下で、目開きが３．３５ｍｍの篩を通過する粒度を有する無機物であることを特徴とする、前記のダンベルである。【００１５】  また、本発明は、前記布が、少なくとも一方の面に、高分子材料のフィルムによるラミネート加工が施されてなることを特徴とする、前記のダンベルである。
【発明の効果】
【００１６】  前記のダンベルにおいて、握りやすいサイズを考慮すると、直径が３０〜５０ｍｍで長さが２３０ｍｍ前後であることが望ましい。つまり、内容積が約１６０〜４５０ｃｃとなり、この容積に同一の直径の鋼球を最密充填したと想定すると、鉄の密度が７．８７ｇ／ｃｍ３なので、重量は約９００〜２４００ｇとなる。【００１７】  健常者の成人男性であれば、この程度の重量のダンベルであっても、ダンベル体操に用いることが可能であるが、幼児や高齢者などが用いることを考慮すると、ダンベルの重量は、最小で１００ｇ、最大でも５００ｇに調整可能であることが望ましい。そこで、鋼球の全部を、例えば石英や長石を主成分とする粒状の無機物に置き換えると想定すると、石英の密度は約２．７ｇ／ｃｍ３、長石の密度は約２．６ｇ／ｃｍ３なので、重量は３００〜８００ｇとなる。【００１８】  つまり、前記と同程度のサイズのダンベルで、重量を前記の範囲に設定するためには、密度が約３ｇ／ｃｍ３以下の物質を用いればよいことになる。つまり、適当な密度の無機物を粒状材料として、単独でまたは混合して使用することにより、一定範囲で重量を調整したダンベルを得ることができる。【００１９】  なお、前記の１００ｇという最小重量は幼児などを想定した重量なので、それに合わせてダンベルのサイズが小さくなるので、格別に密度の小さい粒状材料を用いることは必須要件ではない。ちなみに、石英以外の無機物の密度の例を挙げると、ケイ酸ジルコニウムの理論密度が４．７ｇ／ｃｍ３、酸化アルミニウムの理論密度が４ｇ／ｃｍ３なので、重量の調整に用いることができる。【００２０】  また、本発明で用いる無機物の粒状材料の粒度を、目開きが３．３５ｍｍの篩を通過するものとしたのは、ダンベルの握り易さを考慮したためである。つまり、これ以上の大きさの粒状材料が多いと、ダンベルを握った際に、掌にゴツゴツした感覚を与えるとともに、握り方に応じたダンベルの変形が起こり難くなり、快適な使用感が必ずしも得られないからである。なお、粒状材料に含まれる微粉の量が多くなるに従い、外力が加わった場合の粒状材料の流動性が低下することがあるので、例えば目開きが３５５μｍの篩を通過する粒度の粒状材料を除去してもよい。【００２１】  また、本発明において、粒状材料として無機物を選択したもう一つ理由は、鋼球などの金属球では、掌の発汗による錆発生が懸念されるからである。前記の無機物においては、錆の発生が見られないことは勿論である。なお、重量調整のため、金属球を用いることも可能であるが、メッキなどの錆防止のための表面処理を施すことが望ましい。さらに無機物を用いる利点として、トルマリンやフェライトなどの、生体に対して電気磁気作用を及ぼしたり、マイナスイオン発生させたりすることで、健康増進に効果があるとされる材料を用いることが可能であるという点が挙げられる。【００２２】  また、本発明において、袋を構成する布として、少なくとも一方の面に、高分子材料のフィルムによるラミネート加工が施されたものを用いるのは、前記の掌の発汗による汚損を防止するためである。ただし、このような布は特別に作製する必要はなく、市販製品、例えばテーブルクロスを用いることができる。��００２３】  具体的には、市販のテーブルクロスには、塩化ビニル系やアクリル系の高分子材料のラミネート加工で、片面または両面をコーティングした製品があり、本発明のダンベルに使用可能である。しかも市販のテーブルクロスは、その使用目的から、使用者に美感を喚起させる色彩やデザインを具備したものが多く、ダンベルに適用するにも有用である。
【発明を実施するための最良の形態】
【００２４】  次に、具体的な例を挙げ、本発明の実施の形態について説明する。本発明は使用する材料に特徴があるが、縫製方法などに特別な技術を必要としないので、低コストで製造可能である。【００２５】  図１は、本発明のダンベルの一例を示す斜視図であり、内部の状態を一部破砕図で示している。図１において、１はダンベル、２は縫合部、３はリボン、４は粒状材料である。【００２６】  図１に示したダンベル１は、１５０ｍｍ×２５０ｍｍの大きさに裁断したテーブルクロスを、２５０ｍｍの辺が長さ方向になるように筒状に縫製し、片方の開口部を縫合して、内部に粒状材料を充填した後、他方の開口部を縫合したものである。ここ用いた粒状材料は、熱帯魚などを飼育する水槽用に市販されている敷砂である。具体的には、株式会社スドーから販売されている、クリスタルオレンジという商品を用いた。【００２７】  また、ここで用いたテーブルクロスは片側の面に、ラミネート加工により、軟質塩化ビニル系のコーティングが施されている。一般的には、汚れを簡単に除去できるように、コーティング面を外側にして縫製されるが、表面の滑り易さや握る際の感触などを考慮してコーティング面を内側にすることも可能である。【００２８】  また、リボン３は装飾のために取り付けたもので、テーブルクロスの色彩やデザインと同様に美感の向上に寄与するものである。ここではリボンを縫いつけて蝶結びにしているが、リボンの長さを延長して手首などに巻き付けるためのストラップとすることも可能である。【００２９】  以上に説明したように、本発明によれば、重量の調整が容易で衛生性が向上したダンベルを提供でき、ダンベル体操普及の一助として有用である。なお、本発明は、前記実施の形態に限定されるものではなく、本発明の分野における通常の知識を有する者であれば想到し得る、各種変形、修正を含む本発明の要旨を逸脱しない範囲の設計変更があっても本発明に含まれる。
【図面の簡単な説明】
【００３０】
【図１】  本発明のダンベルの一例を示す斜視図
【符号の説明】
【００３１】  １  ダンベル
２  縫合部
３  リボン
４  粒状材料
【図１】
2010046461.tif 000003